(57)【要約】【課題】洗浄のとき取り外すことなく、容易に手入れできる防水構造生理センサーに関する。【解決手段】生理センサーは手袋本体上、指と向かい合う区域に設け、該生理センサーに密閉式ハウジングを設ける。該ハウジングに感知素子を覆うほか、該ハウジングはあらかじめに導電柱体を埋設する。該導電柱体の一端に感知素子と電気接続し、他端はハウジング外部に露出して手袋本体に取り付ける。該手袋本体はさらに導電回路を設け、該導電回路と導電柱体から露出する端と電気接続する。該手袋本体と手の甲との向かい合う区域に生理測定器を設け、該生理測定器は感知素子により人体の様々な生理現象の演算処理を行う。該生理測定器は導電回路により、生理センサーと接続する。これらの構成要素により、利用者は簡単に装着できるほか、生理センサーの感知素子を密閉式のハウジングに覆うため、洗浄のとき取り外すことなく、容易に手入れできる。【選択図】図３
0003130699.tif 000002
【実用新案登録請求の範囲】
【請求項１】
手袋本体に取り付け、該手袋本体に導電孔及び導電孔に接続する導電回路を設けてある防水構造生理センサーであって、
台と、
前記台に密着し、密閉式のハウジングを構成する蓋部材と、
前記台と蓋部材より構成するハウジング内部に取り付ける感知素子と、
前記台に埋設され、該導電柱体の一端は前記感知素子と電気接続し、他端は該台の外部に露出し、手袋本体に取り付けて、前記導電孔と電気接続する一つ以上の導電柱体と、からなり、
前記蓋部材は台と密着して密閉式のハウジングを形成することにより外部の水気の侵入を防ぎ、内蔵した感知素子を保護することを特徴とする、
防水構造生理センサー。
【請求項２】
前記手袋本体に生理測定器を設け、該生理測定器は導電回路を介して生理センサーと電気接続することを特徴とする、請求項１に記載の防水構造生理センサー。
【請求項３】
前記導電回路は、あらかじめ手袋本体に混合して織り込まれてあることを特徴とする、請求項２に記載の防水構造生理センサー。
【請求項４】
前記該導電柱体が台より露出する端部を溶接加工により手袋本体の導電孔に取り付けることを特徴とする、請求項１に記載の防水構造生理センサー。
【請求項５】
前記導電柱体が台より露出する端部は、導電性の固定部材が取り付けられ、該導電柱体の露出端と導電性の固定部材と組み合わせるリベットと嵌め輪を設け、導電孔に装入した上、手袋本体に取り付けることを特徴とする、請求項１に記載の防水構造生理センサー。
【請求項６】
前記導電柱体の露出端は、導電性のボルト、ナットと組合せ、導電孔に装入した上、手袋本体に取り付けることを特徴とする、請求項１に記載の防水構造生理センサー。
【請求項７】
前記生理センサーは血中酸素濃度を測定するための光源受・発信機を用いてあることを特徴とする、請求項１に記載の防水構造生理センサー。
【請求項８】
前記蓋部材に前記光源受・発信機による光源受・発信のための透明区域を設けてあることを特徴とする、請求項７に記載の防水構造生理センサー。
【考案の詳細な説明】
【技術分野】
【０００１】
本考案は一種の防水構造生理センサー、特に一種の感知素子をハウジングに密封し、該感知素子は導電柱体とあらかじめに手袋内部に編み込んだ導電回路に連結し、利用者の装着に便利であって、さらに洗浄するとき、生理センサーを取り外すことなく、取り外し時間を節約する装置である。
【背景技術】
【０００２】
物的生活の向上及び健康に対する重視から余暇のとき各種の測定器材を使用し、現時点の体の状況をチェックし、体に対する関心及び適切な調節を行う。そのうち、良く見かけるものは心拍の測定である。
【考案の開示】
【考案が解決しようとする課題】
【０００３】
一般の公知技術の装着式心拍測定器は、図１に示すとおり、該生理センサー１１０は心拍測定に使用する。該生理センサー１１０にディスプレイ１１１を設け、該ディスプレイ１１１は心拍値を表示する。該生理センサー１１０に導電回路１１２を設け、該導電回路１１２の他端に一組の光源センサー１３０（該光源センサーは光源発信機と受信機を有する）を設け、該手袋１００の一端は指と向かい合う区域に延ばす。該区域に指サック１２０を設ける。使用するとき、手袋１００を手のひらに装着した上、指サック１２０を指に嵌めておく、光源センサー１３０を指サック１２０に詰めて、光源の出射と反射により、人体の心拍を測定する。しかしながら、光源センサー１３０を指サック１２０に装着する必要があり、装着が不便のほか、生理センサー１１０は手袋１００表面に固定されているため、利用の観点から理想とは言えない。
【０００４】
該生理センサーは手袋本体上、指と向かい合う区域に設け、該生理センサーに密閉式ハウジングを設ける。該ハウジングに感知素子を覆うほか、該ハウジングはあらかじめに導電柱体を埋設する。該導電柱体は手袋本体に取り付け、手袋本体の導電回路と感知素子と電気接続する。該手袋本体と手の甲との向かい合う区域に導電接点を設け、該導電接点は手袋本体の導電回路に連結する。該導電接点は生理測定器と電気接続し、該生理測定器は感知素子により人体の様々な生理現象の演算処理を行う。該生理測定器は導電接点、導電回路により、感知素子と電気接続する。生理センサーと接続する。これらの構成要素により、利用者は簡単に装着できるほか、生理センサーの感知素子を密閉式のハウジングに覆うため、洗浄のとき取り外すことなく、容易に手入れできる、一種の防水構造生理センサーを提供することを本考案の目的とする。
【０００５】
当該導電柱体の一端は一体化成型方式により台に埋設し、他端はハウジング外部に露出させ、溶接加工により、手袋本体の導電孔に固定する、一種の防水構造生理センサーを提供することを本考案のもう一つの目的とする。
【０００６】
当該導電柱体をハウジング外部に露出する端は、導電性を有する固定部材により手袋本体に取り付ける。該固定部材は導電柱体と組み合わせるリベットと止め輪を使用する、一種の防水構造生理センサーを提供することを本考案の又ひとつの目的とする。
【０００７】
当該導電柱体を台外部に露出する端は、導電性の固定部材により手袋本体に取り付ける。該固定部材は導電柱体と組み合わせる雄、メスねじである。一種の防水構造生理センサーを提供することを本考案の又一つの目的とする。
【０００８】
該感知素子は光源受・発信機を用いて、血中酸素濃度を測定する、一種の防水構造生理センサーを提供することを本考案のもう一つの目的とする。
【０００９】
手袋本体上の導電回路は手袋本体上の繊維と混じり織りする、一種の防水構造生理センサーを提供することを本考案のもう一つの目的とする。
【課題を解決するための手段】
【００１０】
本考案人は前記した公知技術の装置、利用者による装着と手入れが不便など欠点の改善策を研究し、合理の解決を図り、分析、研究および設計を繰り返した結果、本考案の防水構造生理センサーの構造を思案した。
【００１１】
すなわち、本願の第１考案は、手袋本体に取り付け、該手袋本体に導電孔及び導電孔に接続する導電回路を設けてある防水構造生理センサーであって、台と、前記台に密着し、密閉式のハウジングを構成する蓋部材と、前記台と蓋部材より構成するハウジング内部に取り付ける感知素子と、前記台に埋設され、該導電柱体の一端は前記感知素子と電気接続し、他端は該台の外部に露出し、手袋本体に取り付けて、前記導電孔と電気接続する一つ以上の導電柱体と、からなり、
前記蓋部材は台と密着して密閉式のハウジングを形成することにより外部の水気の侵入を防ぎ、内蔵した感知素子を保護することを特徴とする、防水構造生理センサーであることを要旨としている。
【００１２】
また、本願の第２考案は、前記手袋本体に生理測定器を設け、該生理測定器は導電回路を介して生理センサーと電気接続することを特徴とする、本願の第１考案に記載の防水構造生理センサーであることを要旨としている。
【００１３】
また、本願の第３考案は、前記導電回路は、あらかじめ手袋本体に混合して織り込まれてあることを特徴とする、本願の第２考案に記載の防水構造生理センサーであることを要旨としている。
【００１４】
また、本願の第４考案は、前記該導電柱体が台より露出する端部を溶接加工により手袋本体の導電孔に取り付けることを特徴とする、本願の第１考案に記載の防水構造生理センサーであることを要旨としている。
【００１５】
また、本願の第５考案は、前記導電柱体が台より露出する端部は、導電性の固定部材が取り付けられ、該導電柱体の露出端と導電性の固定部材と組み合わせるリベットと嵌め輪を設け、導電孔に装入した上、手袋本体に取り付けることを特徴とする、本願の第１考案に記載の防水構造生理センサーであることを要旨としている。
【００１６】
また、本願の第６考案は、前記導電柱体の露出端は、導電性のボルト、ナットと組合せ、導電孔に装入した上、手袋本体に取り付けることを特徴とする、本願の第１考案に記載の防水構造生理センサーであることを要旨としている。
【００１７】
また、本願の第７考案は、前記生理センサーは血中酸素濃度を測定するための光源受・発信機を用いてあることを特徴とする、本願の第１考案に記載の防水構造生理センサーであることを要旨としている。
【００１８】
また、本願の第８考案は、前記蓋部材に前記光源受・発信機による光源受・発信のための透明区域を設けてあることを特徴とする、本願の第７考案に記載の防水構造生理センサーであることを要旨としている。
【考案の効果】
【００１９】
本考案の防水構造生理センサーによれば、構造単純、頑丈であって、人体の生理現象を精確に測定し利用者自らの体の状態を知ることができる。また、自分の体に注意を払い、適切な調節を実行することができる。
【考案を実施するための最良の形態】
【００２０】
[実施例]
本考案に対してより理解を図るため、本考案は前記の目的を実現するために採用する手段およびその効果について、好ましい実施例と図面をあわせて、以下のとおり詳細に説明する。
【００２１】
本考案は一種の防水構造生理センサーである。図２Ａ、２Ｂ、３に示す通り、該生理センサーは手袋本体１０上に取り付けて、該手袋本体１０はいずれの繊維部材より加工し、利用者の手に装着する。該手袋本体１０上と手の甲との向かい合う区域に導電接点１１を設ける。該導電接点１１は導電部材より作られる。さらに、手袋本体１０上に生理測定器２０、該生理測定器２０により、人体様々な生理現象を検知し、処理及び演算を行う。なお、該生理測定器２０の表面にディスプレイ２１を設け、該ディスプレイ２１は検出された数値を表示する。該生理測定器２０に電気接続部品２２を設け、該電気接続部品２２は該導電接点１１に接続して電気接続する。
【００２２】
該手袋本体１０はすべての指の向かい合う区域（本実施例において、中指の向かい合う区域に設けられる）に導電回路１２を設け、該導電回路１２は導電性の繊維部材に混合して手袋本体１０に編み込み、該導電回路１２はさらに導電接点１１に接続する。
【００２３】
該導電回路１２は生理センサー３０に接触（本実施例において、生理センサーは光源受・発信機を設け、人体の血中酸素濃度を測定する。）する。
【００２４】
該生理センサー３０に台３１を設け、該台３１に一つ以上の導電柱体３２（本実施例において、射出成型加工方式により、一体化して台に覆う。）を設け、該導電柱体３２の一端は台３１から露出する（本実施例において、内面に延ばしたナットを使用する。）。
【００２５】
該導電柱体３２の他端は台３１に取り付けた感知素子３３と電気接続する。
【００２６】
該感知素子３３に光源受・発信機３３１を設け、該感知素子３３に接点３３２を設ける。該接点３３２は導電柱体３２と電気接続場所において接続する。
【００２７】
該台３１に蓋部材３４を被せ、該蓋部材３４は超音波溶融加工方式により、台３１に密着して、密閉式のハウジングを形成し、外部の水気の侵入を防ぎ、内蔵の感知素子３３を保護する。
【００２８】
該蓋部材３４はさらに透明区域３４１（図３、４）を設け、該透明区域３４１と光源受・発信機３３１と向かい合わせて、光源受・発信機３３１の光源受・発信に備える。
【００２９】
このほか、手袋本体１０に備える導電回路１２と生理センサー３０との向かい合う位置に、一つ以上の金属導電孔１２１を設け、該金属導電孔１２１に固定部材４０（本実施例において、導電柱体と組み合わせるネジ山を使用する。ただし、この種の技術を熟知するものは、導電柱体により、リベット又は嵌め輪、もしくは導電柱体を導電孔に溶接する。）を装入する。該固定部材４０は金属導電孔１２１を介して導電柱体３２に結合し、生理センサー３０を手袋本体１０の表面に取り付けて、導電回路１２と電気接続する（図５）。
【００３０】
使用時には、図２Ａ、４、５に示す通り、本考案の密閉式のハウジングにより、手袋本体１０を洗浄するとき、生理センサー３０を取り外す必要がない。便利に使用でき、時間も節約できる。
【００３１】
前記した説明により、本考案の防水構造生理センサーは、構造単純、頑丈、人体の生理現象を精確に測定し、利用者自らの体の状態を知ることができる。自分の体に注意を払い、適切な調節を実行することができる。
【図面の簡単な説明】
【００３２】
【図１】従来の装置の概略図である。
【図２Ａ】本考案の使用形態の立体概略図である。
【図２Ｂ】本考案の生理センサーを手袋本体に取り付けたときの拡大概略図である。
【図３】本考案の実施例における生理センサーの立体分解概略図である。
【図４】本考案の生理センサーと手袋本体一部区域と結合した立体概略図である。
【図５】本考案の生理センサーを手袋本体に取り付けたときの断面概略図である。
【符号の説明】
【００３３】
１０    手袋本体
１１    導電接点
１２    導電回路
１２０  指サック
１２１  金属導電孔
２０    生理測定器
２１    ディスプレイ
２２    電気接続部品
３０    生理センサー
３１    台
３２    導電柱体
３３    感知素子
３３１  光源受・発信機
３３２  接点
３４    蓋部材
３４１  透明区域
４０    固定部材
【図１】
0003130699.tif 000003
【図２Ａ】
0003130699.tif 000004
【図２Ｂ】
0003130699.tif 000005
【図３】
0003130699.tif 000006
【図４】
0003130699.tif 000007
【図５】
0003130699.tif 000008